(57)【要約】【課題】デッドボルトからスライダーまでの錠ケース内の空間を有効的に活用することができること。また、スライダーを安定的に上下動させることができること。【解決手段】錠ケース１のフロント４から水平方向に出没するデッドボルト２５より上方に配設されていると共に、該デッドボルトの後端部に係合する係合駆動腕を嵌合部２２の半径方向に有し、一方、嵌合部２２の周方向に駆動歯２４を有するダルマ２０と、このダルマ２０の前記駆動歯２４に噛合する従動歯４５を周方向に有し、かつ、錠ケース１の中央部に軸支されたクランク板４１と、このクランク板４１に連結節５０及び可動軸６５を介して連結され、かつ、錠ケース１に形成した縦長案内部８に上下動自在に案内される支持枠状のスライダー６０と、このスライダー６０に取り付けられ、かつ、戸枠の横枠に設けた受け具と直接又は間接的に係脱する係合ロッド７５とを備えたグレモン錠。【選択図】　図１
2004068491.tif 000002
【特許請求の範囲】
【請求項１】
錠ケース１のフロント４から水平方向に出没するデッドボルト２５より上方に配設されていると共に、該デッドボルトの後端部に係合する係合駆動腕を嵌合部２２の半径方向に有し、一方、嵌合部２２の周方向に駆動歯２４を有するダルマ２０と、このダルマ２０の前記駆動歯２４に噛合する従動歯４５を周方向に有し、かつ、錠ケース１の中央部に軸支されたクランク板４１と、このクランク板４１に連結節５０及び可動軸６５を介して連結され、かつ、錠ケース１に形成した縦長案内部８に上下動自在に案内される支持枠状のスライダー６０と、このスライダー６０に取り付けられ、かつ、戸枠の横枠に設けた受け具と直接又は間接的に係脱する係合ロッド７５とを備えたグレモン錠。
【請求項２】
請求項１に於いて、スライダー６０は、係合ロッド７５の下端部と着脱自在に螺合する連結用メネジ孔６３を有する上部板６１と、この上部板６１に固定垂下する前後一対の支持板６４，６４と、これらの支持板６４，６４の外壁面から突出し、かつ、突出端部６５ａ，６５ａが錠ケース１の縦長案内切欠部８にそれぞれ係合する可動軸６５とから成ることを特徴とするグレモン錠。
【請求項３】
請求項１又は請求項２に於いて、スライダー６０は、上部板６１に錠ケース１の縦長案内切欠部８に係合する前後一対の案内突起６２，６２を有していることを特徴とするグレモン錠。
【発明の詳細な説明】
【０００１】
【発明の属する技術分野】
本発明は、開閉戸の内壁面に面付け状に取り付けられる、又は開閉戸の側端部の開口に内装されるグレモン錠に関する。
【０００２】
【従来の技術】
グレモン錠は、戸枠の縦枠に設けたストライクに出没して係脱するデッドボルトと、戸枠の横枠に設けた受け具に係脱する係合ロッドとを備え、グレモンハンドル（レバー）の操作によって駆動する錠箱内のダルマが回転すると、その係合駆動腕並びに動力伝達機構を介し、デッドボルトと上下又は一方の係合ロッドとが同時に往復直線運動して解錠又は施錠状態となる。
【０００３】
とろこで、従来、ダルマの駆動力を係合ロッドまで動力を伝達する手段として、例えばダルマに設けた長杆状の駆動アームと、この駆動アームの先端部に下方可動係合ピンを介して下端部が連結され、かつ、中央部が固定枢軸に軸支された逆「く」の字型状の従動アームと、この従動アームの上端部に下端部が上方可動係合ピンを介して連結され、かつ、左右のガイド板に上下動自在に案内された下向きコ字型スライダーとで構成さてれている。
【０００４】
しかしながら、上記動力伝達機構は、長杆状の駆動アーム並びに逆「く」の字型状の従動アームを用いているので、錠ケース内の空間を有効活用でいないという問題点を有していた。また従動アームは上下の可動係合ピンを介して駆動アームやスライダーに連結されていたので、より安定的な作動を得るためにもっと工夫すべき課題があった。
【０００５】
【発明が解決しようとする課題】
本発明の第１の目的は、ダルマを基準にして該ダルマと係合ロッド（或いは錠ケースの上壁）との間の錠ケース内の狭い空間を有効的に活用することである。第２の目的は係合ロッドと一体のスライダーを安定的かつスムースに上下動させることができることである。第３の目的は、各部品を簡単に組み合わせることができることである。
【０００６】
【課題を解決するための手段】
本発明のグレモン錠は、錠ケース１のフロント４から水平方向に出没するデッドボルト２５より上方に配設されていると共に、該デッドボルトの後端部に係合する係合駆動腕を嵌合部２２の半径方向に有し、一方、嵌合部２２の周方向に駆動歯２４を有するダルマ２０と、このダルマ２０の前記駆動歯２４に噛合する従動歯４５を周方向に有し、かつ、錠ケース１の中央部に軸支されたクランク板４１と、このクランク板４１に連結節５０及び可動軸６５を介して連結され、かつ、錠ケース１に形成した縦長案内部８に上下動自在に案内される支持枠状のスライダー６０と、このスライダー６０に取り付けられ、かつ、戸枠の横枠に設けた受け具と直接又は間接的に係脱する係合ロッド７５とを備えていることを特徴とする。
【０００７】
【発明の実施の形態】
図１乃至図７に示すグレモン錠の一例を参照に本発明を説明する。（１）錠ケース…まず図３を参照に錠ケースについて説明する。錠ケース１は、普通一般に角箱状に形成され、一側面開口のケース身２と、一側面開口を閉じる蓋体３とから構成されている。また錠ケース１は、フロント４を有すると共に、錠機構を構成する各部材を組み込むための取付け孔，軸孔，軸などを有している。すなわち、５はダルマ用取付け孔（嵌合孔）である。この取付け孔５を基準にして、錠ケース１の上方には、順番にクランク板用軸６、クランク板ストッパー用ピン７、スライダー用縦長案内切欠部８、バネ部材用固定軸９が設けられている。
【０００８】
一方、取付け孔５を基準にして錠ケース１の下方には、デッドボルト用案内軸１１、揺動押し下げ片用回転軸１２、ストッパー片用固定支軸１３が設けられている。錠ケース１には、その他案内部或いは案内部材、取付けベース板、支持板などが適宜に設けられているが、本発明に関係のない部分は割愛している。この錠ケース１は、錠前が面付け型のグレモン錠である場合には、扉、引戸などの開閉戸の内壁面に取り付けられ、一方、錠前が開閉扉の中に収められるタイプである場合には、開閉扉の内部構造に合わせて適宜に取り付けられる。ここで便宜上、錠ケース１の各壁について符号を付す。１ａは底壁、１ｂは後壁、１ｃは上壁、１ｄは一側面開口部に対する幅広側壁である。なお、戸枠や受け金具は省略する。
【０００９】
（２）ダルマ…錠ケース１に取付け孔（嵌合孔）５を介して内装された駆動部材としてのダルマ２０は、例えば錠ケース１とは別体に成形された受座部材、又は錠ケース１の取付け孔５に対向するように形成された受座部２１に回動自在に設けられている。本実施例のダルマ２０は、錠ケースの内部空間を有効活用するために、次に説明するデッドボルト２５よりも上方に配設されている。公知のようにダルマ２０は、キー又はサムターンの操作によって回動する。そして、次に説明するデッドボルトの出入りを制御する。そのためにダルマ２０は、受座部材或いは受座部２１に嵌合し、かつ、中心部に係合孔をするドラム形状の嵌合部２２と、この嵌合部２２の周壁の半径方向に延伸する係合駆動腕２３と、嵌合部２２の周壁の一部に周方向に沿って設けられた駆動歯２４とを有している。
【００１０】
（３）デッドボルト…デッドボルト２５は、錠ケース１の下部寄りの部位に水平案内部を介して進退動可能に設けられている。デッドボルト２５は、先端部にフロント４の開口１４に案内されるブロック状係合頭部２６を有し、一方、この係合頭部２６に連設する中央部ないし後端部寄りの部位には、水平案内長孔２７が形成されている。水平案内長孔２７には錠箱１に横設軸架されたデッドボルト用案内軸１１が貫通状態に挿嵌している。またデッドボルト２５は、中空後端部の上部にダルマの係合駆動腕２３が選択的に係合する任意形状の第１係合切欠部２８を有し、一方、中空後端部の下部端面から中央部寄りの部位にかけて第２係合切欠部２９を有している。特に符号を付しないが、前記第１係合切欠部２８は半円弧状の上部に逆ハの字状の切欠係合面を有し、また、前記第２係合切欠部２９はデッドボルトストッパー片の先端部が当る下部係合面を有している。なお、本発明の特定要件ではないが、デッドボルト２５には、図示しない鎌片が回動自在に合体されている。
【００１１】
（４）ストッパー片…ストッパー片３１は、錠ケース１の下方隅部に横設軸架された固定支軸１３を介して軸支されている。このストッパー３１は、デッドボルト２５が、例えば図１で示すように施錠状態になった時、デッドボルト３１の後退を阻止する。そこで、本実施例では固定支軸１３に基端部が軸支され、一方、自由端部３２はデッドボルト２５の下部係合面に係合する。しかして、ストッパー片３１は、端面チャンネルに形成され、その上端部には板状当接部３３が設けられている。また錠ケース１の隅部に横設された固定支軸１３には、該ストッパー片３１をデッドボルト２５と係合する方向へ付勢する付勢バネ３４が巻装されている。
【００１２】
（５）揺動押し下げ片…揺動押し下げ片３６はダルマ２０の係合駆動腕２３に枢支ピン３７を介して連結されている。揺動押し下げ片３６は、ダルマ２０が回転すると揺動しながら昇降動する。その結果、ストッパー片３１はデッドボルト２５の下部係合面と係脱する。本実施例では、この揺動押し下げ片３６は、十手型形状に形成され、その長杆部３８はデッドボルト２５の中空後端部並びに揺動押し下げ片用回転軸１２を貫通している。そして、貫通した長杆部３８の下端部は、ストッパー片３１の板状当接部３３に突き当たっている。一方、短杆部は長杆部３８に巻装されたコイルバネ３９の上端部を支持する機能を果している。
【００１３】
（６）クランク板…クランク板４１は錠ケース１の中央部に横設軸架されたクランク板用軸６に軸支されている。図１又は図４で示すように、クランク板４１は中心孔４２を有する円板部４３と、この円板部４３の一部から半径方向に突出する連結部４４から成り、前記円板部４３の外周壁の一部には、周方向にダルマ２０の駆動歯２４に噛合する従動歯４５が形成されている。また前記突起状の連結部４４には、クランクピン４６用の貫通孔４７と、クランク板ストッパー用ピン７に当接する湾曲状の当り面４４ａがそれぞれ形成されている。
【００１４】
（７）連結節…連結節５０は、本実施例ではクランク板４１の突起状の連結部４４をサンドイッチ状に挟む一対の連結板５１，５１が用いられている。連設板５１は、図６で示すように、下端部に連結部４４の貫通孔４７と符合する下部貫通孔５２と、次に説明するスライダー６０の軸孔と符合する上部貫通孔５３とを有している。
【００１５】
（８）スライダー…スライダー６０は支持枠状に形成され、錠ケース１の上部に内装される。本実施例では、スライダー６０は、金属又は合成樹脂材で端面下向きコ字型状に形成されている。図６を参照に構成を説明する。６１は矩形状の上部板で、この上部板６１は、長手方向の両側壁に、錠ケース１の上方中央部（中央部寄りの部位も含まれる）に形成されたスライダー用縦長案内部（本実施例では切欠部）８に係合する案内突起６２，６２を有している。また上部板６１は、その中央部に係合ロッド７５のオネジ部７１と取り外し自在に螺合する連結用メネジ孔（連結孔）６３を有している。６４，６４は、上部板６１に固定垂下する前後一対（ここでは、幅広側壁１ｄに対向する側を前、一方、蓋体３に対向する側を後とする。）の支持板である。これらの支持板６４，６４の中央下部には可動軸６５用の軸孔６６が形成されていると共に、突起状の右端部６４ａ，６４ａには、バネ用支持棒６７が固定的に横設されている。前記可動軸６５は前述した前後一対の案内突起６２，６２と同様に前後の支持板６４，６４の外壁面から突出し、突出両端部６５ａ，６５ａは、錠ケース１（ケース身と蓋体）の縦長案内切欠部８に係合する。６８は前後の支持板６４，６４の外壁面に所要間隔を有して突出形成された複数個の摺接突起で、これらの摺接突起６８は錠ケース１（ケース身と蓋体）の内壁面をスライドする。なお、係合ロッド７５の上端部は、直接又は間接的（連結部材を介して）に戸枠の受け具に係脱する。
【００１６】
（９）スライダー用バネ…メガネ状のバネ７０は、その一端部はスライダー６０のバネ用支持棒６７に、一方、他端部は錠ケース１の後壁１ｂ寄りの上部に横設軸架されたバネ部材用固定軸９に取り付けられている。このスライダー用バネ７０は、施錠時ないし係合時（デッドボルト２５は施錠、係合ロッド７５は戸枠の受け具に係合）、外拡状になり、スライダー６０を押し上げる方向に付勢する。中心部７１はスライダー６０の昇降動に対応して所定位置へと移行する。
【００１７】
上記構成に於いて、図１が施錠状態、これに対して図７が解錠状態である。本発明のグレモン錠はクランク機構を採用している点に特徴があるから、この点を中心に作用を説明する。キー又はサムターンの操作すると、ダルマ２０は、図１から図７に示す位置へと回転する。ここで図７を参照に解錠作用を説明すると、ダルマ２０は反時計方向、クランク板４１は従動歯４５を介して時計方向へと回転する。
【００１８】
クランク板４１が回転すると、クランク６，４６は略４５度右方向に回転するので、連結節５０は傾倒状態になる。連結節５０が傾倒すると、該連結節５０によってスライダー６０は下降する（回転運動が往復直線運動となる故）。この時スライダー６０は、下方に位置する可動軸６５の前後の突起部６５ａ，６５ａ並びに上方に位置する案内突起６２，６２が錠ケース１の縦長案内部８に係合案内されているので、左右に揺れることなく安定的に下降する。また下降時、スライダー６０の支持板６４の摺動突起６８はその滑動を良好にならしめるので、スライダー６０はスムースに下降する。スライダー６０が下降すると、垂直状の係合ロッド７５は戸枠の受け具から外れる。
【００１９】
一方、ダルマ２０が反時計方向に回転すると、デッドボルト２５は係合駆動腕２３により錠ケース１の内部へと後退する。この時ストッパー片３１は、その板状当接部３３に揺動押し下げ片３６の下端部が突き当たっているので、回転軸１２に案内されかつ付勢バネ３４のバネ力に抗して揺動下降する揺動押し下げ片３６により、デッドボルト２５の係合切欠面から離れる。なお、解錠状態から施錠状態への作動態様は、逆の態様になるので割愛する（図７から図１となる）。
【００２０】
このように本発明のグレモン錠では、図示しない戸枠の縦枠に設けたストライクに出没して係脱するデッドボルト２５と、戸枠の横枠に設けた受け具に係脱する係合ロッドと一体のスライダー６０とを備え、駆動部材としてのダルマ２０が回転すると、係合駆動腕並びにクランク機構を介し、デッドボルト２５と上下又は一方（本実施例では上方の）スライダー６０とが同時に往復直線運動し、解錠又は施錠状態となる。
【００２１】
【実施例】
本発明の実施例に於いて、スライダー６０は支持枠状に形成されているが、スライダー６０の形状をボックス状に設計変更しても良い。ここで「支持枠状」とは、断面チャンネル形状の他に外観上ボックス状も含まれる意味合いである。
【００２２】
【発明の効果】
以上の説明から明らかなように、次に列挙するような作用・効果がある。
（１）本発明のグレモン錠は、クランク機構を用いているので、駆動部材としてのデッドボルトを基準にし、該デッドボルトからスライダーまでの錠ケース内の空間を有効的に活用することができる。したがって、錠ケースの小型化を図ることができる。
（２）請求項２及び請求項３に記載の発明は、各部品を簡単に組み合わせることができると共に、係合ロッドと一体のスライダーを安定的に上下動させることができる。
【図面の簡単な説明】
図１乃至図７は本発明の一実施例を示す各概略説明図。
【図１】蓋体側から見た内部構造の概略説明図（施錠状態）。
【図２】フロント側から見た内部構造の概略説明図。
【図３】錠ケースの概略説明図。
【図４】要部（クランク板）の説明図。
【図５】要部（スライダー）の説明図。
【図６】本発明の主要部に関係する各部材の分解斜視図。
【図７】解錠状態の概略説明図。
【符号の説明】
１…錠ケース、２…ケース身、３…蓋体、４…フロント、５…取付け孔（嵌合孔）、６…クランク板用軸、７…ピン、８…スライダー用縦長案内部、９…バネ部材用固定軸、１１…デッドボルト用案内軸、１２…揺動押し下げ片用回転軸、１３…ストッパー片用固定支軸、１４…開口、２０…ダルマ、２１…受座部、２２…嵌合部、２３…係合駆動腕、２４…駆動歯、２５…デッドボルト、２６…係合頭部、２７…水平案内長孔、２８…第１係合切欠部、２９…第２係合切欠部、３１…ストッパー片、３２…自由端部、３３…板状当接部、３４…付勢バネ、３６…揺動押し下げ片、３７…枢支ピン、３８…長杆部、３９…コイルバネ、４１…クランク板、４２…中心孔、４３…円板部、４４…連結部、４５…従動歯、４６…クランクピン、４７…貫通孔、５０…連結節、５１…連結板、５２…下部貫通孔、５３…上部貫通孔、６０…スライダー、６１…上部板、６２…案内突起、６３…連結孔、６４…支持板、６５…可動軸、６６…軸孔、６７…支持棒、６８…摺接突起、７０…スライダー用バネ、７１…中心部、７５…係合ロッド、７６…オネジ部。
【図１】
2004068491.tif 000003
【図２】
2004068491.tif 000004
【図３】
2004068491.tif 000005
【図４】
2004068491.tif 000006
【図５】
2004068491.tif 000007
【図６】
2004068491.tif 000008
【図７】
2004068491.tif 000009